(57)【要約】【課題】簡易な構造であるにもかかわらず吸収材への尿の吸収が十分にできるため、排尿障害者および夜尿による失禁に対して、衣服、下着を濡らすことなく失禁の不安、不快感から開放でき、また、衣服を脱がすこともなく、簡単に交換、後始末ができる。【解決手段】  尿吸収材で形成された袋状吸収体３の外周部が防水カバー４で覆われ、防水カバー面に男性の下着に固定できる止着手段８を有し、使用する男性Ｍの腹上側から両太腿の付け根に添うように、使用時平面視が逆八の字状の斜面６につながる密閉された底部を有し、使用時平面視上端に開口部５が形成され、この開口部に使用時平面視の幅が狭くなるように絞り部５ａが形成され、使用する男性の陰茎を袋内部に収納するためのＵ字型切欠部２が形成され、この切欠部の先端が腹上に接する面側の中央部から密閉された底部６ａとの間に位置する。【選択図】図２
2013039262.tif 000002
【特許請求の範囲】
【請求項１】
尿吸収材で形成された袋状吸収体の外周部が防水カバーで覆われた男性失禁者用尿取りパッドであって、
この尿取りパッドは、前記防水カバー面に男性の下着に固定できる止着手段を有し、
使用する男性の腹上側から両太腿の付け根に添うように、使用時平面視が逆八の字状の斜面につながる密閉された底部を有し、使用時平面視上端に開口部が形成され、この開口部に使用時平面視の幅が狭くなるように絞り部が形成され、
腹上に接する面側に前記男性の陰茎を前記袋状吸収体の袋内部に収納するためのＵ字型切欠部が形成され、このＵ字型切欠部の前記底部側先端が前記腹上側に接する面側の中央部から前記底部との間に位置するとともに、前記開口部まで平面視同一幅を有するＵ字型の切り欠きであることを特徴とする男性失禁者用尿取りパッド。
【請求項２】
前記止着手段は、前記Ｕ字型切欠部が形成されている面と反対側の面に形成されていることを特徴とする請求項１記載の男性失禁者用尿取りパッド。
【請求項３】
前記絞り部は、使用時平面視寸法として、絞り部を設けないときの開口部の横長さをｔ3、絞り部の開口部の横長さをｔ6、上部領域の長さをｔ1、絞り部の縦長さをｔ4としたとき、（ｔ6／ｔ3）の値が０．６〜０．９、（ｔ4／ｔ1）の値が０．１〜０．４であることを特徴とする請求項１または請求項２記載の男性失禁者用尿取りパッド。
【発明の詳細な説明】
【技術分野】
【０００１】
本発明は男性失禁者用尿取りパッドに関し、特に被介護者および尿失禁者にとって取り扱いが容易な袋状の尿取りパッドに関する。
【背景技術】
【０００２】
従来、男性失禁者用尿取りパッドとしては、下部を密閉端とし、上部を開口端とした吸収材からなる袋体を形成し、開口端の片面の上部中心より長方形に切り抜いて、ペニスを入れる切り込み部を設けた切り込み部の上部両端に、閉じ止め具を取り付けた男性用尿取りパットが開示されている（特許文献１）。
また、軽失禁者や、排尿後も少量の尿の漏れが生じる軽度の尿失禁者用者に好適な男性用失禁パッドとして、液透過性のトップシートと、透湿性で液不透過性のバックシートと、これら両シート間に液吸収シートが設けられ、股部方向が狭幅で、その反対方向が広幅であり、ほぼ広幅部分の幅のほぼ中央部に男性の性器部の陰茎を取り出すためのほぼ縦方向に走るスリット部が設けられており、スリット部の左右の縁近傍部分が重ね合わされてオーバーラップした構造にされており、バックシートのほぼ広幅部分の外側面には、その左右の両縁近傍にほぼ縦方向にすべり止めテープが設けられている男性用失禁パッドが開示されている（特許文献２）。
さらに、「野球のホームベース形」か、または「羽子板形」の偏平なポケット状袋体であって、広巾部の縦長さ方向末端に横巾が６０ｍｍ以上のポケット開口部を有する柔軟性防水シートからなる肌側被覆材と、上記ポケット開口部の裏側位置に膨張可能なベローズが形成された柔軟性防水シートからなる外側被覆材の間に吸収体を包蔵した、男性用失禁処理用品が開示されている（特許文献３）。
男性用尿取りパットを他の下着類と併用する技術も開示されている（特許文献４、特許文献５）。
【０００３】
また、尿取りパットの市販品としては、商品名アテント尿取りパッド（大王製紙(株)）、商品名ライフリー心とお肌のケアパッド（ユニ・チャーム(株)）等がある（非特許文献１）。
【先行技術文献】
【特許文献】
【０００４】
【特許文献１】実用新案登録第３１０４１０９号公報
【特許文献２】特開２００８−２３２４７号公報
【特許文献３】特開平７−１２４１９０号公報
【特許文献４】実用新案登録第３０８７２７１号公報
【特許文献５】特開２００６−２１８１４４号公報
【非特許文献】
【０００５】
【非特許文献１】http://www.kaientai.cc/goodslistc.aspx?ccd=0813
【発明の概要】
【発明が解決しようとする課題】
【０００６】
しかしながら、従来の尿取りパットは、パット交換時毎にパットの閉じ止め具を開閉したり、併用している紙おむつや下着を脱がせたりしないと尿取りパットの交換ができないという問題がある。
また、固定具や止め具を尿取りパット装着時に取り扱うので装着が煩雑になったり、被介護者の尊厳を害したりする場合がある。さらに従来の尿取りパットは、装着した被介護者の体重移動により吸収材への尿の吸収が阻害され計算上の吸収量が得られないという問題がある。
【０００７】
本発明は以上のような従来の問題に鑑み、簡易な構造であるにもかかわらず吸収材への尿の吸収が十分にできるため、排尿障害者および夜尿による失禁に対して、衣服、下着を濡らすことなく失禁の不安、不快感から開放でき、また、紙おむつのときのように、衣服を脱がすこともなく、簡単に交換、後始末ができる男性失禁者用尿取りパッドの提供を目的とする。
【課題を解決するための手段】
【０００８】
本発明者は、自らトイレに行くことが困難な被介護者を長年にわたり介護した経験から、介護者および被介護者双方にとって、紙おむつは脱着時および使用時に必ずしも十分な介護用具ではなく、特に頻度の多い排尿のためには不十分であると感じていた。尿取りパットについて工夫を重ねた結果、逆八の字状の斜面につながる密閉された底部を有して、尿取りパットの開口部に絞り部を形成し、開口部の中央部から下のほうにＵ字型切欠部を設けることで、排尿された尿が漏れることなく、かつ介護者に負担にならず、被介護者の尊厳を害することなく、極めて簡単な方法で脱着できる尿取りパットができることを見出した。本発明はこのような知見に基づくものである。
【０００９】
すなわち、本発明の尿取りパッドは、尿吸収材で形成された袋状吸収体の外周部が防水カバーで覆われた男性失禁者用尿取りパッドであり、この尿取りパッドは、覆われている防水カバー面に男性の下着に固定できる止着手段を有し、使用する男性の腹上側から両太腿の付け根に添うように、使用時平面視が逆八の字状の斜面につながる密閉された底部を有し、使用時平面視上端に開口部が形成され、この開口部に使用時平面視の幅が狭くなるように絞り部が形成されている。
また、この尿取りパッドの腹上に接する面側に、使用する男性の陰茎を上記袋状吸収体の袋内部に収納するためのＵ字型切欠部が形成され、このＵ字型切欠部の尿取りパッド底部側先端が上記腹上側に接する面側の中央部から尿取りパッド底部との間に位置するとともに、尿取りパッド開口部まで平面視同一幅を有するＵ字型の切り欠きであることを特徴とする。
また、本発明の尿取りパッドは、Ｕ字型切欠部が形成されている面と反対側の面に上記止着手段が形成されていることを特徴とする。
【００１０】
本発明の尿取りパッドに設けられる絞り部は、使用時平面視寸法として、絞り部を設けないときの開口部の横長さをｔ3、絞り部の開口部の横長さをｔ6、上部領域の長さをｔ1、絞り部の縦長さをｔ4としたとき、（ｔ6／ｔ3）の値が０．６〜０．９、（ｔ4／ｔ1）の値が０．１〜０．４であることを特徴とする。
【発明の効果】
【００１１】
本発明の尿取りパッドは、使用する男性の腹上から両太腿の付け根に添うように、使用時平面視が逆八の字状の密閉底部を有するので、また、防水カバー面に男性の下着に固定できる止着手段を有しているので、尿取りパッドがずれるのを防止できる。
【００１２】
本発明の尿取りパッドは、腹上に接する面側に使用する男性の陰茎を上記袋状吸収体の袋内部に収納するための切欠部が、腹上に接する面側の中央部から底部との間に形成されているので、衣服を脱ぐことなく簡単な作業で尿取りパッドを交換することができる。このため、本人および介護者の肉体的、精神的負担も軽減させ、楽で気軽に尿取りパッドや紙おむつを取り替えることができる。
また、尿取りパッドが腹上に位置することになるので、例えば就寝時に、尿取りパッドに体圧がかからず無圧の状態になるので排尿が全て吸収材に吸収され寝返りをうっても尿漏れが生じない。
【００１３】
本発明の尿取りパッドは、平面視上端に開口部が形成され、この開口部に使用時平面視の幅が狭くなるように絞り部が形成されているので、逆八の字状部の斜面および密閉底部を使用者または介護者が手で持つことにより尿取りパッド上端が容易に筒状になり、さらにＵ字型切欠部を設けることで被介護者の尊厳を害することなく陰部に簡単に脱着することができる。
【図面の簡単な説明】
【００１４】
【図１】尿取りパッドを正面からみた図である。
【図２】尿取りパッドを背面からみた図である。
【図３】尿取りパッド１を把持するときの状態を示す斜視図である。
【図４】絞り部を有しない尿取りパッドを把持するときの状態を示す斜視図である。
【図５】尿取りパッドの使用時平面視寸法を表す図である。
【図６】尿取りパッドの展開図である。
【図７】男性パンツ内に尿取りパッドを使用した状態を示す図である。
【図８】男性失禁者の使用例を示す図である。
【発明を実施するための形態】
【００１５】
以下、図面により本発明の尿取りパッドを詳細に説明する。図１は本発明の一実施例の尿取りパッドを正面からみた図であり、図２は背面からみた図である。
図１および図２に示すように、尿取りパッド１は、男性の陰茎を挿入する切欠部２が形成された袋状吸収体３の外周部を防水可能に覆う防水カバー４と、内周部に形成される透水シート７とで構成されている。積層構造部分の部分拡大断面図を図２に同時に示す。袋状吸収体３を腹上にのせて、男性の陰茎を切欠部２に挿入させ、排尿が周囲に広がることなく吸収体３に吸収させて使い捨てする。
【００１６】
切欠部２は、尿取りパッド１の略中央位置に形成された半円状の先端部２ａと、尿取りパッド１の開口部５の上端部から先端部２ａに向かって形成された同一幅を有するスリット部２ｂとで構成されている。
尿取りパッド１の表面には、図１に示すように、覆われている防水カバー面に男性の下着に固定できる止着手段８を有している。止着手段８としては粘着テープ、両面テープ等が挙げられる。
止着手段８は、Ｕ字型切欠部が形成されている面と反対側の面に形成されていることが尿取りパッド１交換時の取り扱いが容易になるので好ましい。
【００１７】
尿取りパッド１は、開口部５が所定の一定の幅ｔ3を有する上部領域１ａと徐々に幅が狭くなる下部領域１ｂとで構成されている。下部領域１ｂは、両大腿部の付け根の形状に対応させて下方に向かうに従って徐々に幅が狭くなる逆八の字状の斜面６とこの斜面につながる密閉された底部６ａが形成されており、尿取りパッド１を装着した男性が身体の移動時に、または就寝時の寝返時に大腿部が尿取りパッド１に当たって尿取りパッド１がずれるのを、逆八の字状の斜面６にて、防止するようにしている。
【００１８】
尿取りパッド１の上端に形成された開口部５に使用時平面視の幅が狭くなるように絞り部５ａが形成されている。絞り部５ａを形成することで、男性の陰茎を尿取りパッド１内に収納する際に、尿取りパッド１の両側を把持することにより、開口部５はスムーズに楕円形状から円形状に広がり、男性の陰茎を尿取りパッド１内に収納し易くしている。
また、切欠部２と開口部５とを形成することにより、吸収体３に放出された尿が毛細管現象によりスムーズに吸収体３全体に拡散する。
【００１９】
図３は、図１に示す尿取りパッド１を把持するときの状態を示す斜視図を表し、図４は、絞り部を有しない尿取りパッド１’を把持するときの状態を示す斜視図を表す。
図４に示すように、絞り部を有しない尿取りパッド１’は、男性の陰部に装着するために尿取りパッド１の逆八の字状の斜面を把持したとき、尿取りパッド１の開口部５の面積を拡大する方向に力が働くので、スリット部２ｂの上端部が相互に開いてしまう。
これに対して、図３に示すように、絞り部５ａを有する尿取りパッド１は、尿取りパッド１の開口部５の面積を拡大する方向に働く力が絞り部５ａにより抑えられ、スリット部２ｂの上端部が相互に開くことがない。そのため、尿取りパッド１の脱着が容易になる。
【００２０】
図５は、図２に示す尿取りパッド１の使用時平面視寸法を表す図である。
絞り部５ａの絞りの程度は、絞り部５ａを設けないときの開口部の横長さｔ3に対する実際の開口部の横長さｔ6、および上部領域１ａの縦長さｔ1に対する絞り部５ａの縦長さｔ4で表される。なお、長さｔ6の中央は長さｔ3の中央に位置する。
本発明において、（ｔ6／ｔ3）の値が０．６〜０．９、好ましくは０．７〜０．９の範囲にあり、（ｔ4／ｔ1）は０．１〜０．４、好ましくは０．１〜０．３の範囲にあることが好ましい。この範囲にあることにより、スリット部２ｂの上端部が相互に開くことを抑制できる。
【００２１】
平均身長および体重の成人男子用の一例として例示すれば、図５において、尿取りパッド１の大きさは、ｔ1が１１０ｍｍ、ｔ2が９０ｍｍ、ｔ3が２２５ｍｍ、ｔ4が１５ｍｍ、ｔ5が９５ｍｍ、ｔ6が１９５ｍｍ、ｔ7が２０ｍｍ、およびｔ8が２５ｍｍである。なお、ｔ7はｔ3およびｔ6の中心に位置している。また、この尿取りパッド１の重量は約６５ｇである。この寸法は、昼間用および夜間用などの用途、使用する男性の身長および体重に応じて変更することができる。
【００２２】
尿取りパッド１の展開図を図６に示す。尿取りパッド１は、図１および図２では開口部５は楕円形状に押し広げられたものが示されているが、製造前を展開すると図６に示すように、野球の本塁ベースを２個連結したような形状になっている。この形状のシートは防水カバー４と吸収体３と透水シート７の３層構造となっており、幅広となった開口部５の上端を形成する部分を除いて、透水シート７が内側になるように底部６ａとなる部分を折り曲げて端縁を接合させることで尿取りパッド１が製造できる。接合は、テープ止め、縫合、熱溶着などを適宜選択すればよい。
【００２３】
袋状吸収体３は、紙おむつ等で使用されている紙パルプ、吸収紙、高分子吸水シートを男性の陰部が挿入できるように切欠部２となるように袋状に形成されている。なお、吸収体３の切欠部２が形成された尿取りパッド１の内面側は、ポリオレフィン系の不織布などからなる透水シート７で覆われていて肌当たりを良好なものにしている。
【００２４】
防水カバー４は、紙おむつ等で使用されているポリエチレンフィルム等の合成樹脂シートを用いて、吸収体３を覆う袋状の溶着等によって形成されている。防水カバー４は、尿漏れが発生しないように袋状吸収体３全体を覆っている。
【００２５】
尿取りパッド１の使用方法について、図面を参照して説明する。図７は、男性パンツ内に尿取りパッド１を使用した状態を示す図面である。
切欠部２の底部側先端２ａが腹上に接する面側の中央部から底部６ａとの間に位置しているので、尿取りパッド１の重量比で半分以上が男性使用者Ｍの腹上にのせることができる。その後、パンツなどの男性下着９を装着する。本発明の尿取りパッド１は腹上から両太腿の付け根に添うように逆八の字状の斜面につながる底部を有しているので、両太腿の付け根で尿取りパッドが保持される。その結果、男性使用者が身体を移動させたとしてもズレたり外れたりしない。特に男性下着９などを併用する場合、よりズレたり外れたりしない。
【００２６】
男性Ｍが排尿した場合、尿は尿取りパッド１の吸収体３に吸収され防水カバー４によって周囲に漏れることがない。排尿された尿は腹上部分の吸収体に吸収され、男性Ｍが移動したとしても、男性の陰茎Ｐよりも上方に尿を吸収した吸収体が位置すると共に、防水カバー面に設けられた男性下着との止着手段により固定されるので、尿取りパッド１は落下することがない。
なお、男性Ｍは男性下着以外に、テープ止めタイプ紙おむつ、パンツタイプ紙おむつ、おむつカバー、縦長おむつ等を使用していても同様に使用することができる。
図８は男性失禁者の使用例を示す図である。男性失禁者であっても、図８に示すように、ズボンを上げ下げするだけで、衣服を脱ぐことなく簡単に装着、交換することができる。
【産業上の利用可能性】
【００２７】
本発明の尿取りパッドは、簡単な作業で気軽に尿取りパッドを取り替えることができるので、使用者の不快感を軽減させることができる。また、介護者の肉体的、精神的負担も軽減させることができる。そのため、今後の介護分野に広く利用できる。
【符号の説明】
【００２８】
１  尿取りパッド
２  切欠部
３  吸収体
４  防水カバー
５  開口部
６  逆八の字状の斜面
７  透水シート
８  止着手段
９  男性下着
Ｍ  男性使用者
Ｐ  陰茎
【図１】
2013039262.tif 000003
【図２】
2013039262.tif 000004
【図３】
2013039262.tif 000005
【図４】
2013039262.tif 000006
【図５】
2013039262.tif 000007
【図６】
2013039262.tif 000008
【図７】
2013039262.tif 000009
【図８】
2013039262.tif 000010